(57)【要約】【課題】複数の記録層を有する光ディスクへの記録を行う際、半導体レーザやこれを駆動するための駆動回路への負荷を低減する光記録再生装置を提供する。【解決手段】複数の記録層を有するディスク２への記録再生を行う光記録再生装置１において、複数の記録層への記録再生を行うレーザを備えたピックアップ３と、ピックアップ３で検出された検出信号からウォブル周波数を検出する検出手段４と、記録層への全ての記録が一定線速度となるように設定してディスク２の信号を出力する制御手段５と、ウォブル周波数に基づいて、ピックアップ２に近い側の記録層に記録する程速い記録クロックを出力するクロック生成回路６と、ウォブル周波数に基づいて、各記録層毎の記録再生条件を設定する条件設定手段７と、記録再生条件と記録クロックに基づいて、制御信号を出力する制御手段８と、これに基づいて、レーザを駆動させるレーザ駆動回路９と、からなる。【選択図】      図１
2004227721.tif 000002
【特許請求の範囲】
【請求項１】
複数の記録層を有する光ディスクへの記録再生を行う光ディスク記録再生装置において、
前記複数の記録層への記録再生を行う、少なくとも半導体レーザを備えた光ピックアップと、
前記光ピックアップで検出された検出信号からウォブル周波数を検出するウォブル検出手段と、
前記ウォブル周波数に基づいて、前記複数の記録層への全ての記録が一定線速度となるように設定して前記光ディスクの回転制御を行う信号を出力する回転制御手段と、
前記ウォブル周波数に基づいて、前記光ピックアップに近い側の記録層に記録する程速い記録クロックを出力するクロック生成手段と、
前記ウォブル周波数に基づいて、各記録層毎の記録再生条件を設定する記録再生条件設定手段と、
前記記録再生条件と前記記録クロックに基づいて、記録再生制御信号を出力する記録再生制御手段と、
前記記録再生制御信号に基づいて、前記光ピックアップ内の半導体レーザを駆動させる信号を出力するレーザ駆動手段と、
からなることを特徴とする光記録再生装置。
【請求項２】
複数の記録層を有する光ディスクへの記録再生を行う光ディスク記録再生装置において、
前記複数の記録層への記録再生を行う、少なくとも半導体レーザを備えた光ピックアップと、
前記光ピックアップで検出された検出信号からウォブル周波数を検出するウォブル検出手段と、
前記ウォブル周波数に基づいて、前記光ピックアップに近い側の記録層に記録する程速い線速度となるように設定して前記光ディスクの回転制御信号を出力する回転制御手段と、
前記ウォブル周波数に基づいて、線速度に比例して速く、かつ各記録層に最短記録マークが形成できる記録クロックを出力するクロック生成手段と、
前記ウォブル周波数により、前記複数の記録層のうち記録する記録層がいずれであるかを判定し、その判定された記録層の記録再生条件を設定する記録再生条件設定手段と、
前記記録再生条件と前記記録クロックに基づいて、記録再生制御信号を出力する記録再生制御手段と、
前記記録再生制御信号に基づいて、前記光ピックアップ内の半導体レーザを駆動させる信号を出力するレーザ駆動手段と、
からなることを特徴とする光記録再生装置。
【発明の詳細な説明】
【０００１】
【発明の属する技術分野】
本発明は、多層記録媒体に記録再生を行う光記録再生装置に関する。
【０００２】
【従来の技術】
近年、光ディスク等の光記録媒体の記録層を多層化して高密度化する試みがなされている。
特許文献１には、光ディスクの複数の記録層への情報の記録、消去又は再生を行う光記録再生装置において、所定情報を複数の記録層のトラックに異なる条件で試験的に複数記録する試験記録手段と、いずれかの記録層のトラックから再生された所定情報を示す再生信号を検出する再生信号検出手段と、所定の記録層上の情報トラックに対して、前記試験記録手段により所定情報を複数記録するとともに前記再生信号手段によりこれら所定情報を示す再生信号をそれぞれ検出し、これら再生信号に基づいて前記情報トラックに対する記録、消去又は再生条件を選択する試し書き手段と、この試し書き手段により、各記録層上の情報トラックに対する記録等の条件を選択し、これらの条件に基づいて各記録層上の情報トラックに対して情報の記録等を行う制御手段とを備えて、各記録層に適切な光パワーで記録、消去又は再生できる光記録再生装置が開示されている。
【０００３】
【特許文献１】
特開平１１−００３５５０号公報（第３−第９頁、第１図）
【０００４】
【発明が解決しようとする課題】
しかしながら、記録層が多い場合には、光ビーム照射側から最も遠い記録層に記録するための光パワーは、光ビーム照射側に最も近い記録層に記録するための光パワーの数倍以上が必要となるため、このような光パワーを出力させる半導体レーザやこれを駆動するための駆動回路に大幅な負荷がかかり、最適記録が行えないといった不具合を生じることがある。
また、記録に必要な光パワーが半導体レーザの出力限界を超えてしまうといった問題も生じる。
【０００５】
例えば、２層の記録層を有する次世代高密度光ディスクの場合には、光ビーム照射側から遠い２層目の記録層に記録するための光パワーは、光ビーム照射側に近い１層目の記録層に記録する光パワーの２倍を必要とする。２層以上の場合には、光ビーム照射側から最も遠い記録層に記録するためには、更に大きな光パワーが必要とされる。
【０００６】
そこで、本発明は、上記問題に鑑みてなされたものであり、複数の記録層を有する光ディスクへの記録を行う際、半導体レーザやこれを駆動するための駆動回路への負荷を低減する光記録再生装置を提供することを目的とする。
【０００７】
【課題を解決するための手段】
本発明における第１の発明は、複数の記録層を有する光ディスクへの記録再生を行う光ディスク記録再生装置において、前記複数の記録層への記録再生を行う、少なくとも半導体レーザを備えた光ピックアップと、前記光ピックアップで検出された検出信号からウォブル周波数を検出するウォブル検出手段と、前記ウォブル周波数に基づいて、前記複数の記録層への全ての記録が一定線速度となるように設定して前記光ディスクの回転制御を行う信号を出力する回転制御手段と、前記ウォブル周波数に基づいて、前記光ピックアップに近い側の記録層に記録する程速い記録クロックを出力するクロック生成手段と、前記ウォブル周波数に基づいて、各記録層毎の記録再生条件を設定する記録再生条件設定手段と、前記記録再生条件と前記記録クロックに基づいて、記録再生制御信号を出力する記録再生制御手段と、前記記録再生制御信号に基づいて、前記光ピックアップ内の半導体レーザを駆動させる信号を出力するレーザ駆動手段と、からなることを特徴とする光記録再生装置を提供する。
第２の発明は、複数の記録層を有する光ディスクへの記録再生を行う光ディスク記録再生装置において、前記複数の記録層への記録再生を行う、少なくとも半導体レーザを備えた光ピックアップと、前記光ピックアップで検出された検出信号からウォブル周波数を検出するウォブル検出手段と、前記ウォブル周波数に基づいて、前記光ピックアップに近い側の記録層に記録する程速い線速度となるように設定して前記光ディスクの回転制御信号を出力する回転制御手段と、前記ウォブル周波数に基づいて、線速度に比例して速く、かつ各記録層に最短記録マークが形成できる記録クロックを出力するクロック生成手段と、前記ウォブル周波数により、前記複数の記録層のうち記録する記録層がいずれであるかを判定し、その判定された記録層の記録再生条件を設定する記録再生条件設定手段と、前記記録再生条件と前記記録クロックに基づいて、記録再生制御信号を出力する記録再生制御手段と、前記記録再生制御信号に基づいて、前記光ピックアップ内の半導体レーザを駆動させる信号を出力するレーザ駆動手段と、からなることを特徴とする光記録再生装置を提供する。
【０００８】
【発明の実施の形態】
以下、本発明の光記録再生装置について、図１及び図２を用いて説明する。
図１は、本発明の実施形態の光記録再生装置を示すブロック図である。
図２は、各記録層への光パワーとの関係を示す図である。
【０００９】
図１に示すように、本発明の実施形態の光記録再生装置１は、複数の記録層を有する光ディスク２への記録再生を行う、少なくとも半導体レーザを含む光ピックアップ３と、この光ピックアップ３で検出された複数の記録層の記録再生信号からウォブル周波数を検出するウォブル検出回路４と、ウォブル検出回路４で検出されたウォブル周波数と線速度との相関テーブルを有し、複数の記録層への全ての記録が一定線速度となるように設定して、光ディスク２の回転制御信号を出力する回転制御回路５と、ウォブル検出回路４で検出されたウォブル周波数と記録クロックとの相関テーブルを有し、このウォブル周波数に基づいて、光ピックアップ３に近い側の記録層に記録する程速い記録クロックを出力するクロック生成回路６と、からなる。
【００１０】
更に、複数の記録層構成及び記録クロックにより決められる各記録層毎の記録パワーや記録パルス幅等の記録再生条件を設定する記録再生条件設定回路７と、クロック生成回路６から出力される記録クロックと記録再生条件設定回路７により設定されている記録再生条件に基づいて、記録再生制御信号を出力する記録再生制御回路８と、記録再生制御回路８から出力される記録再生制御信号に基づいて、光ピックアップ３内の半導体レーザを駆動させる信号を出力するレーザ駆動回路９と、からなる。
【００１１】
一定線速度の場合には、記録クロックを遅くすると、記録に必要な光ビームパワーを小さくできる。このことを利用すると、複数の記録層の全てについて一定線速度で、かつ光ピックアップ３からの距離が遠い記録層ほど遅い記録クロックで記録する場合には、複数の記録層の全てについて一定線速度で、かつ同一記録クロックで記録する場合に比較して、光ピックアップ３から遠い記録層への記録を小さい光パワーで行うことができる。
【００１２】
言い換えると、図２に示す通りになる。
図２中、Ａは、複数の記録層の全てについて一定線速度で、かつ光ピックアップ３からの距離が遠い記録層ほど遅い記録クロックで記録した場合を示し、Ｂは、複数の記録層の全てについて一定線速度で、かつ光ピックアップ３からの距離に無関係に一定記録クロックで記録した場合を示している。記録層は、光ピックアップからの距離が近い方から順にＬｎ、Ｌｎ−１、…、Ｌ１、Ｌ０である。
【００１３】
図２から明らかなように、Ａは、Ｂに比較して、光ピックアップ３からの距離に対する記録層位置での光パワー依存性が小さくなっている。
この結果、Ａの条件で記録層への記録を行うと、光ピックアップ３に最も近い記録層と最も遠い記録層とで大きな光パワー差を生じることがないので、光ピックアップ３内の半導体レーザやこれを駆動するための駆動回路への負荷を低減することができる。
【００１４】
次に、その動作について説明する。
最初に記録する場合について説明する。
回転制御回路５から回転制御信号を出力して光ディスク２を回転させる。
次に、記録再生条件設定回路７から出力される所定の記録条件に基づいて、記録再生制御回路８から記録制御信号を出力し、この記録制御信号に基づいてレーザ駆動回路９を駆動し、光ピックアップ３内の半導体レーザを駆動させて光ディスク２における所定の記録層のトラックを照射する。そして、この光ディスク２からの戻り光からウォブル検出回路４によりウォブル周波数を検出する。このウォブル周波数に基づいて回転制御回路５、クロック生成回路６及び記録再生条件設定回路７に出力する。
【００１５】
次に、回転制御回路５では、一定線速度となるようにウォブル周波数を設定して光ディスク２の回転制御を行う信号を出力する。
クロック生成回路６では、光ピックアップ３に近い側の記録層に記録する程速い記録クロックを記録再生制御回路８に出力する。記録再生条件設定回路７では、所定の記録層のウォブル周波数に基づいた記録条件を設定して記録信号として記録再生制御回路８に出力する。
【００１６】
更に、記録再生制御回路８から出力された記録信号とクロック生成回路６から出力された記録クロックとに基づいて、レーザ駆動回路９に記録制御信号を出力する。レーザ駆動回路９からは、この記録制御信号に基づいた駆動信号を光ピックアップ３内の半導体レーザ及びウォブル検出回路４に出力して、光ディスク２のトラックに記録を行う。
再生する場合についても同様であるので、その説明を省略する。
【００１７】
以上のように、本発明の実施形態によれば、複数の記録層の全ての記録が線速度一定となるように設定して光ディスク２の回転制御信号を出力する回転制御回路５と、光ピックアップ３に近い側の記録層に記録する程速い記録クロックを出力するクロック生成回路６とを有しているので、複数の記録層を有する光ディスク２の記録を行う際、半導体レーザやこれを駆動するための駆動回路への負荷を低減する光記録再生装置１が得られる。
【００１８】
次に、本発明の実施形態の変形例について図１を用いて説明する。
本発明の実施形態の変形例は、実施形態において、回転制御回路５がウォブル検出回路４で検出されたウォブル周波数と線速度との相関テーブルを有し、光ピックアップ３に近い側の記録層に記録する程速い線速度となるようにウォブル周波数を設定して光ディスク２の回転制御信号を出力するものであり、クロック生成回路６がウォブル検出回路４で検出されたウォブル周波数と記録クロックとの相関テーブルを有し、各記録層毎の線速度に比例し、かつ各記録層に記録する同一の最短記録マークが形成できる記録クロックを出力するものである。更に、記録再生条件設定回路７は、記録層構成及び記録クロック及び線速度により決められる各記録層毎の記録パワーや記録パルス幅等の記録再生条件を設定するものである。これ以外は実施形態と同様である。
【００１９】
各記録層に形成される最短記録マークが同一であれば線速度を遅くすると記録に必要な光パワーを小さくできる。このことを利用すると、複数の記録層の全てについて一定記録密度で、かつ光ピックアップ３からの距離が遠い記録層ほど遅い記録クロックで記録する場合には、複数の記録層の全てについて一定線速度で、かつ同一記録クロックで記録する場合に比較して、光ピックアップ３から遠い記録層の記録を小さい光パワーで行うことができる。
この場合の記録再生動作は、本発明の実施形態と同様であるので説明を省略する。
【００２０】
以上のように、本発明の実施形態の変形例によれば、ウォブル検出回路４で検出されたウォブル周波数と線速度との相関テーブルを有し、光ピックアップ３に近い側の記録層に記録する程速い線速度となるように設定して光ディスク２の回転制御信号を出力する回転制御回路５と、ウォブル検出回路４で検出されたウォブル周波数と記録クロックとの相関テーブルを有し、各記録層毎の線速度に比例し、かつ各記録層に記録する同一の最短記録マークが形成できる記録クロックを出力するクロック生成回路６と、記録層構成及び記録クロック及び線速度により決められる各記録層毎の記録パワーや記録パルス幅等の記録再生条件を設定する記録再生条件設定回路７とを有しているので、本発明の実施形態同様に複数の記録層を有する光ディスク２の記録を行う際、半導体レーザやこれを駆動するための駆動回路への負荷を低減する光記録再生装置１が得られる。
【００２１】
【発明の効果】
以上のように、本発明によれば、複数の記録層を有する光ディスクへの記録を行う際、各記録層の線速度が一定の場合には、光ピックアップに近い側の記録層に記録する程速い記録クロックで、また、各記録層毎に線速度を決めた場合には、光ピックアップに近い側の記録層に記録する程速い線速度の記録クロックで記録するようにしているので、半導体レーザやこれを駆動するための駆動回路への負荷を低減する光記録再生装置を得ることができる。
【図面の簡単な説明】
【図１】本発明の実施形態の光記録再生装置を示すブロック図である。
【図２】各記録層への光パワーとの関係を示す図である。
【符号の説明】
１…光記録再生装置、２…光ディスク、３…光ピックアップ、４…ウォブル検出手段（ウォブル検出回路）、５…回転制御手段（回転制御回路）、６…クロック生成手段（クロック生成回路）、７…記録再生条件設定手段（記録再生条件設定回路）、８…記録再生制御手段（記録再生制御回路）、９…レーザ駆動手段（レーザ駆動回路）
【図１】
2004227721.tif 000003
【図２】
2004227721.tif 000004